(57)【要約】      （修正有）【課題】像担持体への滑剤の塗布量を適正化することにより良好な画像を得ることができる画像形成装置を提供する。【解決手段】複数の感光体ドラムと、中間転写ベルトと、感光体ドラムの表面に滑剤を塗布する複数の塗布ローラー５２Ｙ，５２Ｍ，５２Ｃ，５２Ｋと、ベルト負荷検出部６２と、ドラム負荷検出部１３Ｙ，１３Ｍ，１３Ｃ，１３Ｋと、制御部１００と、を有している。制御部は、ベルト負荷検出部及びドラム負荷検出部から得られる検出結果に基づいて、複数の塗布ローラーから塗布される滑剤の塗布量をそれぞれ制御する。この場合、制御部は、中間転写ベルトのベルト負荷がベルト基準値以下である場合、感光体ドラムのドラム負荷がドラム基準値よりも小さい感光体ドラムを選択し、選択した感光体ドラムについての滑剤の塗布量を低下させることとしている。【選択図】図３
2015099259.tif 000002
【特許請求の範囲】
【請求項１】
それぞれが所定色の画像を担持する複数の像担持体と、
前記像担持体のそれぞれが対面して配置される転写体と、
前記複数の像担持体に対応して設けられ、それぞれが前記像担持体の表面に滑剤を塗布する複数の滑剤塗布部と、
前記転写体の駆動負荷を検出する第１の負荷検出部と、
前記複数の像担持体の駆動負荷をそれぞれ検出する第２の負荷検出部と、
前記第１の負荷検出部及び前記第２の負荷検出部から得られる検出結果に基づいて、前記複数の滑剤塗布部から塗布される滑剤の塗布量をそれぞれ制御する制御部と、を有し、
前記制御部は、前記転写体の駆動負荷が第１の基準値以下である場合、前記像担持体の駆動負荷が第２の基準値よりも小さい像担持体を選択し、当該選択した像担持体についての滑剤の塗布量を低下させることを特徴とする画像形成装置。
【請求項２】
前記第１の基準値は、前記転写体に存する滑剤の量が過剰であるか否かを判断するために設定された値であり、
前記第２の基準値は、前記像担持体上の滑剤の量が不足していないか否かを判断するために設定された値であることを特徴とする請求項１に記載された画像形成装置。
【請求項３】
前記制御部は、前記像担持体の駆動負荷が第２の基準値よりも小さいものとして複数の像担持体を選択することができる場合には、当該像担持体の駆動負荷が最も小さい像担持体について滑剤の塗布量を低下させることを特徴とする請求項１又は２に記載された画像形成装置。
【請求項４】
前記制御部は、前記像担持体の駆動負荷が第２の基準値よりも小さいものとして複数の像担持体を選択することができる場合には、当該選択される複数の像担持体についての滑剤の塗布量をそれぞれ低下させることを特徴とする請求項１又は２に記載された画像形成装置。
【請求項５】
前記制御部は、前記滑剤塗布部から前記像担持体の表面に塗布される滑剤の量がゼロとならない制限された範囲で、滑剤の塗布量を低下させることを特徴とする請求項１から４のいずれかに記載された画像形成装置。
【請求項６】
前記制御部は、滑剤の塗布量を低下させた結果、前記滑剤塗布部から前記像担持体の表面に塗布される滑剤の量がゼロとなるときは、一定の制限時間の範囲内である場合に限り当該滑剤の量がゼロとなる状態が継続することを許容することを特徴とする請求項１から５のいずれかに記載された画像形成装置。
【発明の詳細な説明】
【技術分野】
【０００１】
本発明は、画像形成装置に関する。
【背景技術】
【０００２】
従来より、複数の像担持体を一本の転写体に対面させて配列することによりフルカラーの画像を形成するカラー画像形成装置が知られている。この画像形成装置では、用紙に画像を転写し、その後、用紙に画像を定着する、という一連のプロセスを通じて用紙に画像を形成する。例えば中間転写方式の画像形成装置では、まず像担持体である感光体ドラムを一様に帯電すると共に、画像データに合わせて電荷を消去（露光）し静電潜像を形成する。そして、このドラムの静電潜像に現像部を用いてトナーを付着させ、ドラムに付着した画像（トナー画像）が転写体である中間転写ベルトに１次転写され、この画像が用紙に２次転写される。
【０００３】
また、この類の画像形成装置は、感光体ドラムの表面に付着している残留トナー等の付着物を除去するためのクリーニングブレードを備えており、クリーニングブレードは、感光体ドラムに当接するようにその表面近傍に配置される。また、クリーニングブレードによるめくれ防止や除去性能の向上を図るため、画像形成装置は、感光体ドラムに滑剤を塗布する機構も併せて備えている。
【０００４】
例えば特許文献１には、感光体ドラムに潤滑材を塗布する第１塗布手段と、中間転写ベルトに潤滑材を塗布する第２塗布手段と、感光体ドラムの駆動負荷を検出する第１検出手段と、中間転写ベルトの駆動負荷を検出する第２検出手段と、を有する画像形成装置が開示されている。この画像形成装置では、中間転写ベルトの駆動負荷からその摩擦レベルを把握し、その値が閾値を超えたら第２塗布手段を中間転写ベルトに当接させる。一方、感光体ドラムの駆動負荷が大きくなった場合、制御手段は第２塗布手段を中間転写ベルトに当接させるための閾値を従前よりも大きな値に変更することとしている。また、特許文献１には、このような関係を感光体ドラムについても適用することができる旨が開示されている。すなわち、感光体ドラムの駆動負荷からその摩擦レベルを把握し、その値が閾値を超えたら第１塗布手段を感光体ドラムに当接させる。一方、中間転写ベルトの駆動負荷が大きくなった場合、制御手段は第１塗布手段を感光体ドラムに当接させるための閾値を従前よりも大きな値に変更することとしている。
【先行技術文献】
【特許文献】
【０００５】
【特許文献１】特開２００９−１０３８３９号公報
【発明の概要】
【発明が解決しようとする課題】
【０００６】
しかしながら、像担持体への滑剤の塗布量が多くなりすぎると、これが転写体へと転位し、転写体における滑剤の量が増えてしまう。転写体には、その表面に付着している残留トナー等の付着物を除去するためのブレード等を備えたクリーニング部が設けられているが、転写体に存する滑剤の量が増えた場合には、クリーニング部に滑剤が溜まったり、残留トナーに滑剤が混じったりする。このような現象により、当該クリーニング部において残留トナーがすり抜けてしまうという事態が発生し、画像不良を招く虞がある。
【０００７】
また、特許文献１に開示された手法によれば、感光体ドラムの駆動負荷と閾値との比較から、滑剤が少ない状況を判断し、その感光体ドラムに第１塗布手段を当接させるか否かを判断する技術を開示しているに過ぎない。また、「感光体ドラムの摩擦係数＜中間転写ベルトの摩擦係数」という関係を成立させるため、中間転写ベルトの摩擦係数が大きくなった場合、制御手段が第１塗布手段を中間転写ベルトに当接させる閾値の値を高めに設定する技術を開示しているに過ぎない。
【０００８】
本発明はかかる事情に鑑みてなされたものであり、その目的は、像担持体への滑剤の塗布量を適正化することにより良好な画像を得ることができる画像形成装置を提供することにある。
【課題を解決するための手段】
【０００９】
かかる課題を解決するために、本発明は、それぞれが所定色の画像を担持する複数の像担持体と、像担持体のそれぞれが対面して配置される転写体と、複数の像担持体に対応して設けられ、それぞれが像担持体の表面に滑剤を塗布する複数の滑剤塗布部と、転写体の駆動負荷を検出する第１の負荷検出部と、複数の像担持体の駆動負荷をそれぞれ検出する第２の負荷検出部と、第１の負荷検出部及び第２の負荷検出部から得られる検出結果に基づいて、複数の滑剤塗布部から塗布される滑剤の塗布量をそれぞれ制御する制御部と、を有する画像形成装置を提供する。ここで、制御部は、転写体の駆動負荷が第１の基準値以下である場合、像担持体の駆動負荷が第２の基準値よりも小さい像担持体を選択し、当該選択した像担持体についての滑剤の塗布量を低下させる。
【００１０】
ここで、本発明において、第１の基準値は、転写体に存する滑剤の量が過剰であるか否かを判断するために設定された値であり、第２の基準値は、像担持体上の滑剤の量が不足していないか否かを判断するために設定された値であることが好ましい。
【００１１】
また、本発明において、制御部は、像担持体の駆動負荷が第２の基準値よりも小さいものとして複数の像担持体を選択することができる場合には、当該像担持体の駆動負荷が最も小さい像担持体について滑剤の塗布量を低下させることが好ましい。
【００１２】
また、本発明において、制御部は、像担持体の駆動負荷が第２の基準値よりも小さいものとして複数の像担持体を選択することができる場合には、当該選択される複数の像担持体についての滑剤の塗布量をそれぞれ低下させることが好ましい。
【００１３】
また、本発明において、制御部は、滑剤塗布部から像担持体の表面に塗布される滑剤の量がゼロとならない制限された範囲で、滑剤の塗布量を低下させることを特徴とするが好ましい。
【００１４】
さらに、本発明において、制御部は、滑剤の塗布量を低下させた結果、滑剤塗布部から像担持体の表面に塗布される滑剤の量がゼロとなるときは、一定の制限時間の範囲内である場合には限り当該滑剤の量がゼロとなる状態が継続することを許容することが好ましい。
【発明の効果】
【００１５】
本発明によれば、転写体に存する滑剤の量に応じて、像担持体についての滑剤の塗布量を制御することができる。これにより、複数の像担持体から転写体へと移動する滑剤の量を調整することができるので、転写体に存する滑剤の量を適切にコントロールすることができる。その結果、転写体上の滑剤に起因する画像不良を抑制することができ、良好な画像を得ることができる。
【図面の簡単な説明】
【００１６】
【図１】画像形成装置を模式的に示す構成図
【図２】ドラムクリーナーの詳細な構成を模式的に示す説明図
【図３】画像形成装置の制御系の構成を示すブロック図
【図４】画像形成装置における制御手順を示すフローチャート
【発明を実施するための形態】
【００１７】
図１は、本実施形態にかかる画像形成装置を模式的に示す構成図である。この画像形成装置は、例えば複写機といった電子写真方式の画像形成装置であり、複数の感光体ドラムを一本の中間転写ベルトに対面させて縦方向に配列することによりフルカラーの画像を形成する、いわゆる、タンデム型カラー画像形成装置である。
【００１８】
画像形成装置は、原稿読取装置ＳＣ、画像形成部１０Ｙ，１０Ｍ，１０Ｃ，１０Ｋ、定着装置５０、制御部１００を主体に構成され、これらが一つの筐体内に収められている。
【００１９】
原稿読取装置ＳＣは、走査露光装置の光学系により原稿の画像を走査露光し、その反射光をラインイメージセンサーにより読み取り、これにより、画像信号を得る。この画像信号は、Ａ／Ｄ変換、シェーディング補正、圧縮等の処理が施された後、画像データとして制御部１００に入力される。なお、制御部１００に入力される画像データとしては、原稿読取装置ＳＣで読み取ったものに限らず、例えば、画像形成装置に接続されたパーソナルコンピューターや他の画像形成装置から受信したものや、ＵＳＢメモリといった可搬性の記録媒体に格納されたものであってもよい。
【００２０】
画像形成部１０Ｙ，１０Ｍ，１０Ｃ，１０Ｋは、イエロー（Ｙ）の画像を形成する画像形成部１０Ｙ、マゼンダ（Ｍ）の画像を形成する画像形成部１０Ｍ、シアン（Ｃ）の画像を形成する画像形成部１０Ｃ、ブラック（Ｋ）の画像を形成する画像形成部１０Ｋに対応している。
【００２１】
画像形成部１０Ｙは、所定の色（イエロー（Ｙ））の画像を担持する像担持体である感光体ドラム１Ｙ、並びにその周辺に配置された帯電部２Ｙ、光書込部３Ｙ、現像装置４Ｙ及びドラムクリーナー５Ｙで構成されている。
【００２２】
感光体ドラム１Ｙは、帯電部２Ｙによりその表面が一様に帯電させられており、光書込部３Ｙによる走査露光により、感光体ドラム１Ｙには潜像が形成される。さらに、現像装置４Ｙは、トナーで現像することによって感光体ドラム１Ｙ上の潜像を顕像化する。これにより、感光体ドラム１Ｙ上には、イエローに対応する所定色の画像（トナー画像）が形成される。感光体ドラム１Ｙ上に形成された画像は、１次転写ローラー７Ｙにより、転写体である中間転写ベルト６上の所定位置へと逐次転写される。
【００２３】
図２は、ドラムクリーナー５Ｙの詳細な構成を模式的に示す説明図である。ドラムクリーナー５Ｙは、図２に示すように、クリーニングブレード５１Ｙと、塗布ローラー５２Ｙ、均しブレード５３Ｙと、滑剤供給部５４Ｙとを主体に構成されている。このドラムクリーナー５Ｙにおいて、クリーニングブレード５１Ｙ、塗布ローラー５２Ｙ及び均しブレード５３Ｙは、この順番で、感光体ドラム１Ｙの回転方向の上流から下流に向けて配列されている。
【００２４】
クリーニングブレード５１Ｙは、感光体ドラム１Ｙに付着する残留トナーを掻き取り、これを除去するものである。クリーニングブレード５１Ｙは、例えばポリウレタンゴムを所定の形状に加工して形成されている。クリーニングブレード５１Ｙは、保持板金（図示せず）にホットメルト接着剤で接着されており、その先端部を感光体ドラム１Ｙに押し当てるように配置されている。
【００２５】
塗布ローラー５２Ｙは、感光体ドラム１Ｙの表面に滑剤を塗布するものである（滑剤塗布部）。塗布ローラー５２Ｙは、回転可能に支持されており、感光体ドラム１Ｙの表面と接触するように当該感光体ドラム１Ｙと並行に配置されている。なお、感光体ドラム１Ｙに滑剤を塗布する手法としては、ローラーを用いる以外にもブラシ等を用いることもできる。
【００２６】
滑剤供給部５４Ｙは、塗布ローラー５２Ｙに滑剤を供給するものであり、塗布ローラー５２Ｙの下方に設けられる。この滑剤供給部５４Ｙは、例えばバネからなる付勢手段（図示せず）により上方に付勢され、塗布ローラー５２Ｙに押圧させられている。例えば滑剤供給部５４Ｙはステアリン酸亜鉛の粉体を溶融整形したものである。
【００２７】
均しブレード５３Ｙは、感光体ドラム１Ｙの表面上の滑剤の厚さを均一にならすものである。均しブレード５３Ｙは、クリーニングブレード５１Ｙと同様に、例えばポリウレタンゴムを所定の形状に加工して形成されている。均しブレード５３Ｙは、保持板金（図示せず）にホットメルト接着剤で接着され、その先端部を感光体ドラム１Ｙに押し当てるように配置されている。
【００２８】
このドラムクリーナー５Ｙにおいて、塗布ローラー５２Ｙは、ニップ部における速度ベクトルが感光体ドラム１Ｙと同方向となる回転方向で、感光体ドラム１Ｙよりも速い線速度で回転する。滑剤供給部５４Ｙにおける滑剤は、塗布ローラー５２Ｙの回転にともない当該滑剤供給部５４Ｙから削りとられ、塗布ローラー５２Ｙへと付着する。塗布ローラー５２Ｙに付着した滑剤は、塗布ローラー５２Ｙの回転により感光体ドラム１Ｙとのニップ部まで搬送されると、感光体ドラム１Ｙの表面に供給される。感光体ドラム１Ｙ上の滑剤は、その感光体ドラム１Ｙの回転により均しブレード５３Ｙまで搬送されると、当該均しブレード５３Ｙの押圧力により、感光体ドラム１Ｙの表面に滑剤の皮膜を形成する。この滑剤の皮膜により、感光体ドラム１Ｙの転写性及びクリーニング性の向上を図ることができる。
【００２９】
本実施形態において、滑剤塗布部としての塗布ローラー５２Ｙは、感光体ドラム１Ｙとの間の距離を変位させる方向（図中矢印方向）に移動可能に構成されており、感光体ドラム１Ｙとの圧接量を調整することができる。この圧接量の調整を通じて、塗布ローラー５２Ｙから感光体ドラム１Ｙへと塗布される滑剤の量をコントロールすることができる。具体的には、感光体ドラム１Ｙに対する塗布ローラー５２Ｙの圧接量を増加させた場合には、塗布ローラー５２Ｙから感光体ドラム１Ｙへと塗布される滑剤の量が増加する。一方、感光体ドラム１Ｙに対する塗布ローラー５２Ｙの圧接量を減少させた場合には、塗布ローラー５２Ｙから感光体ドラム１Ｙへと塗布される滑剤の量が減少する。なお、滑剤供給部５４Ｙはこの塗布ローラー５２Ｙとともに同期して移動するように構成されており、滑剤供給部５４Ｙから塗布ローラー５２Ｙに供給される滑剤の量が一定となるように構成されている。
【００３０】
同様に、画像形成部１０Ｍ，１０Ｃ，１０Ｋは、感光体ドラム１Ｍ，１Ｃ，１Ｋ並びにその周辺に配置された帯電部２Ｍ，２Ｃ，２Ｋ、光書込部３Ｍ，３Ｃ，３Ｋ、現像装置４Ｍ，４Ｃ，４Ｋ及びドラムクリーナー５Ｍ，５Ｃ，５Ｋで構成されており、その詳細は画像形成部１０Ｙと同様である。
【００３１】
ベルトクリーニング部８は、画像の転写を終えた中間転写ベルト６の表面を清掃し、清掃された中間転写ベルト４１は次の画像転写に供される。ベルトクリーニング部８は、ブラシローラー、ブレード、金属ローラー等のクリーニング部材を備えている。
【００３２】
中間転写ベルト６上に転写された各色よりなる画像は、後述する用紙搬送部２０により所定のタイミングで搬送される用紙Ｐに対して、２次転写ローラー９によって転写される。この２次転写ローラー９は、中間転写ベルト６と圧接して配置されることによりニップ（転写ニップ）を形成し、用紙Ｐを搬送しながら当該用紙Ｐに画像を転写する。
【００３３】
用紙搬送部２０は、搬送経路に従って用紙Ｐを搬送する。用紙Ｐは給紙トレイ２１に収容されており、当該給紙トレイ２１に収容された用紙Ｐは、給紙部２２により取り込まれ、搬送経路へと送り出される。搬送経路において、転写ニップ部よりも上流側には、用紙Ｐを搬送する複数の搬送手段が設けられている。個々の搬送手段は、互いに圧接された一対のローラーによって構成されており、駆動手段である電動モーターを通じて少なくとも一方のローラーが回転駆動する。そして、搬送手段は、用紙Ｐを挟持して回転することにより、用紙Ｐを搬送する。なお、搬送手段は、一対のローラーで構成する以外にも、ベルト同士の組み合わせや、ベルト及びローラーの組み合わせといったように、一対の回転部材からなる構成を広く採用することができる。
【００３４】
定着装置７０は、画像が転写された用紙Ｐに対して、画像を定着させる定着処理を施す装置である。定着装置５０は、例えば互いに圧接して配置されることによりニップ（定着ニップ）を形成する定着ローラー７１及び圧接ローラー７２と、当該定着ローラー７１を加熱するヒーター７３と備えている。定着装置７０は、用紙Ｐを搬送するとともに、定着ローラー５１及び圧接ローラー７２による圧力定着、定着ヒーター７３による熱定着を行うことで、画像を用紙Ｐに定着させる。
【００３５】
定着装置７０により定着処理が施された用紙Ｐは、排紙ローラー２８により、筐体の外部側面に取り付けられた排紙トレイ２９に排出される。また、用紙Ｐの裏面にも画像形成を行う場合、用紙表面に対する画像形成を終えた用紙Ｐは、切換ゲート３０により、下方にある反転ローラー３１へと搬送される。反転ローラー３１は、搬送された用紙Ｐの後端を挟持した後、逆送することによって用紙Ｐを反転させて、再給紙搬送経路に送り出す。この再給紙搬送経路へと送り出された用紙Ｐは、再給紙用の複数の搬送手段によって搬送され、転写位置へと用紙Ｐを回帰させる。
【００３６】
制御部１００は、画像形成装置を統合的に制御する機能を担っており、ＣＰＵ、ＲＯＭ、ＲＡＭ、Ｉ／Ｏインターフェースを主体に構成されたマイクロコンピュータを用いることができる。制御部１００は、画像形成部１０Ｙ，１０Ｍ，１０Ｃ，１０Ｋや定着装置５０などを制御することにより、用紙Ｐに画像を形成する。
【００３７】
図３は、本実施形態に係る画像形成装置の制御系の構成を示すブロック図である。制御部１００には、ドラム駆動部１１Ｙ，１１Ｍ，１１Ｃ，１１Ｋ、ベルト駆動部６０、塗布ローラー駆動部５５Ｙ，５５Ｍ，５５Ｃ，５５Ｋ、ドラム負荷検出部１３Ｙ，１３Ｍ，１３Ｃ，１３Ｋ、ベルト負荷検出部６２が接続されている。
【００３８】
ドラム駆動部１１Ｙは、イエローの感光体ドラム１Ｙを回転動作させるモーター１２Ｙと接続され、制御部１００からの制御信号に基づいて当該モーター１２Ｙを駆動する。同様に、ドラム駆動部１１Ｍ，１１Ｃ，１１Ｋは、マゼンダ、シアン、ブラックの各感光体ドラム１Ｍ，１Ｃ，１Ｋを回転動作させるモーター１２Ｍ，１２Ｃ，１２Ｋと接続され、制御部１００からの制御信号に基づいて当該モーター１２Ｍ，１２Ｃ，１２Ｋを駆動する。
【００３９】
ベルト駆動部６０は、中間転写ベルト６を回転動作させるモーター６１と接続され、制御部１００からの制御信号に基づいて当該モーター６１を駆動する。
【００４０】
塗布ローラー駆動部５５Ｙは、イエローの感光体ドラム１Ｙに位置づけられる塗布ローラー５２Ｙを移動させる移動機構（図示せず）と接続されており、制御部１００からの制御信号に基づいて当該移動機構を駆動する。この塗布ローラー駆動部５５Ｙは、当該移動機構の駆動を通じて塗布ローラー５２Ｙと感光体ドラム１Ｙとの圧接量を調整することができる。同様に、塗布ローラー駆動部５５Ｍ，５５Ｃ，５５Ｋは、マゼンダ、シアン、ブラックの感光体ドラム１Ｍ，１Ｃ，１Ｋに位置づけられる塗布ローラー５２Ｍ，５２Ｃ，５２Ｋを移動させる各移動機構（図示せず）と接続されており、制御部１００からの制御信号に基づいて当該移動機構をそれぞれ駆動する。この塗布ローラー駆動部５５Ｍ，５５Ｃ，５５Ｋは、当該移動機構の駆動を通じて塗布ローラー５２Ｍ，５２Ｃ，５２Ｋと感光体ドラム１Ｍ，１Ｃ，１Ｋとの圧接量を調整することができる。
【００４１】
ドラム負荷検出部１３Ｙは、モーター１２Ｙの電流を通じて当該モーター１２Ｙのモータートルクを検出し、これにより、感光体ドラム１Ｙの駆動負荷（以下「ドラム負荷」という）を検出する。同様に、ドラム負荷検出部１３Ｍ，１３Ｃ，１３Ｋは、モーター１２Ｍ，１２Ｃ，１２Ｋの電流を通じて当該モーター１２Ｙのモータートルクを検出し、これにより、感光体ドラム１Ｍ，１Ｃ，１Ｋのドラム負荷を検出する。これら４つのドラム負荷検出部１３Ｙ，１３Ｍ，１３Ｃ，１３Ｋにより、感光体ドラム１Ｙ，１Ｍ，１Ｃ，１Ｋのドラム負荷をそれぞれ検出する第２の負荷検出部が構成される。
【００４２】
ベルト負荷検出部６２は、モーター６１の電流を通じて当該モーター６１のモータートルクを検出し、これにより、中間転写ベルト６の駆動負荷（以下「ベルト負荷」という）を検出する。
【００４３】
本実施形態の特徴の一つとして、制御部１００は、ドラム負荷検出部１３Ｙ，１３Ｍ，１３Ｃ，１３Ｋ及びベルト負荷検出部６２から得られる検出結果に基づいて、塗布ローラー５２Ｙ，５２Ｍ，５２Ｃ，５２Ｋのそれぞれから塗布される滑剤の塗布量を制御する。制御部１００は、中間転写ベルト６のベルト負荷がベルト基準値（第１の基準値）よりも低下した場合、４つの感光体ドラム１Ｙ，１Ｍ，１Ｃ，１Ｋのうちドラム負荷がドラム基準値（第２の基準値）よりも小さい感光体ドラム１Ｙ，１Ｍ，１Ｃ，１Ｋを選択し、当該選択した感光体ドラム１Ｙ，１Ｍ，１Ｃ，１Ｋについての滑剤の塗布量を低下させることとしている。
【００４４】
図４は、本実施形態に係る画像形成装置における制御手順を示すフローチャートである。以下、本実施形態に係る画像形成装置における滑剤の制御動作について説明する。図４に示すフローチャートの処理は、ジョブの実行ととともに呼び出され、制御部１００によって実行される。
【００４５】
まず、ステップ１０（Ｓ１０）において、制御部１００は、ドラム負荷検出部１３Ｙ，１３Ｍ，１３Ｃ，１３Ｋから検出信号を読み込み、感光体ドラム１Ｙ，１Ｍ，１Ｃ，１Ｋのドラム負荷をそれぞれ検出する。
【００４６】
ステップ１１（Ｓ１１）において、制御部１００は、４つのドラム負荷を参照し、当該ドラム負荷がドラム基準値よりも小さいか否かを判断する。このドラム基準値は、感光体ドラム１Ｙ，１Ｍ，１Ｃ，１Ｋ上の滑剤の量が不足していないか否かを判断するために設定された値であり、個々の感光体ドラム１Ｙ，１Ｍ，１Ｃ，１Ｋ上の滑剤の量をモニタリングするための値である。滑剤の量が不足している場合には、摩擦力の増加により感光体ドラム１Ｙ，１Ｍ，１Ｃ，１Ｋを回転させるのに大きな負荷が必要となるため、ドラム負荷はドラム基準値以上となる。一方、滑剤の量が不足していない場合には、滑剤により感光体ドラム１Ｙ，１Ｍ，１Ｃ，１Ｋに作用する摩擦力が抑制される。そのため、感光体ドラム１Ｙ，１Ｍ，１Ｃ，１Ｋを回転させるのに大きな負荷が必要とならず、ドラム負荷はドラム基準値よりも小さくなる。このドラム基準値は、実験やシミュレーションを通じて、必要となる値が予め取得されている。
【００４７】
このステップ１１において否定判定された場合、具体的には、少なくとも一つの感光体ドラム１Ｙ，１Ｍ，１Ｃ，１Ｋについてのドラム負荷がドラム基準値以上の場合には、ステップ１２（Ｓ１２）の処理に進む。一方、ステップ１１において肯定判定された場合、具体的には、全ての感光体ドラム１Ｙ，１Ｍ，１Ｃ，１Ｋについてのドラム負荷がドラム基準値よりも小さい場合には、ステップ１４（Ｓ１４）の処理に進む。
【００４８】
ステップ１２において、制御部１００は、ドラム負荷がドラム基準値以上となっている感光体ドラム１Ｙ，１Ｍ，１Ｃ，１Ｋを対象として、次に示す制御を行う。具体的には、制御部１００は、塗布ローラー駆動部５５Ｙ，５５Ｍ，５５Ｃ，５５Ｋを制御することにより、感光体ドラム１Ｙ，１Ｍ，１Ｃ，１Ｋに対する塗布ローラー５２Ｙ，５２Ｍ，５２Ｃ，５２Ｋの圧接量を現在値から増加させる。増加させる圧接量は、予め定められた固定的な量であってもよいし、ドラム負荷とドラム基準値との差に応じて定まる量であってもよい。この圧接量の増加により、当該感光体ドラム１Ｙ，１Ｍ，１Ｃ，１Ｋに対する滑剤の塗布量が、圧接量の増加分だけ増加することとなる。
【００４９】
ステップ１３（Ｓ１３）において、制御部１００は、所定時間だけ待機処理を行い、その後、ステップ１０の処理に戻る。
【００５０】
ステップ１４において、制御部１００は、ベルト負荷検出部６２から検出信号を読み込み、中間転写ベルト６のベルト負荷を検出する。
【００５１】
ステップ１５（Ｓ１５）において、制御部１００は、中間転写ベルト６のベルト負荷がベルト基準値以上であるか否かを判断する。このベルト基準値は、中間転写ベルト６上に存する滑剤の量が過剰であるか否かを判断するために設定された値であり、中間転写ベルト６に存する滑剤の量をモニタリングするための値である。滑剤が過剰である場合には、滑剤により中間転写ベルト６に作用する摩擦力が抑制される。そのため、中間転写ベルト６を回転させるのに大きな負荷が必要とならず、ベルト負荷はベルト基準値よりも小さななる。一方、滑剤が過剰ではない場合には、中間転写ベルト６の回動には一定の駆動負荷が必要となるため、ベルト負荷はベルト基準値以上となる。このベルト基準値は、実験やシミュレーションを通じて、必要となる値が予め取得されている。
【００５２】
このステップ１５において否定判定された場合、すなわち、ベルト負荷がベルト基準値よりも小さい場合には、ステップ１６（Ｓ１６）の処理に進む。一方、ステップ１５において肯定判定された場合、すなわち、ベルト負荷がベルト基準値以上の場合には、ステップ１８（Ｓ１８）の処理に進む。
【００５３】
ステップ１６において、制御部１００は、４つの感光体ドラム１Ｙ，１Ｍ，１Ｃ，１Ｋについてのドラム負荷を比較する。上述したように、ステップ１１からステップ１３までの処理を行っているため、個々のドラム負荷はドラム基準値よりも低下した状態となっており、４つの感光体ドラム１Ｙ，１Ｍ，１Ｃ，１Ｋには必要な滑剤が存している状態となっている。制御部１００は、４つの感光体ドラム１Ｙ，１Ｍ，１Ｃ，１Ｋの中からドラム負荷が最も小さい感光体ドラム１Ｙ，１Ｍ，１Ｃ，１Ｋを選択する。すなわち、選択された感光体ドラム１Ｙ，１Ｍ，１Ｃ，１Ｋは、他の感光体ドラム１Ｙ，１Ｍ，１Ｃ，１Ｋよりも多くの滑剤が存するものに相当する。
【００５４】
ステップ１７（Ｓ１７）において、制御部１００は、ステップ１６において選択された感光体ドラム１Ｙ，１Ｍ，１Ｃ，１Ｋを対象として、次に示す制御を行う。具体的には、制御部１００は、塗布ローラー駆動部５５Ｙ，５５Ｍ，５５Ｃ，５５Ｋを制御することにより、感光体ドラム１Ｙ，１Ｍ，１Ｃ，１Ｋに対する塗布ローラー５２Ｙ，５２Ｍ，５２Ｃ，５２Ｋの圧接量を現在値よりも低下させる。低下させる圧接量は、予め定められた固定的な量であってもよいし、ドラム負荷とドラム基準値との差に応じて定まる量であってもよい。この圧接量の減少により、ステップ１６において選択された感光体ドラム１Ｙ，１Ｍ，１Ｃ，１Ｋに対する滑剤の塗布量が、圧接量の減少分だけ減少することとなる。そして、ステップ１５の処理に戻る。
【００５５】
ステップ１８（Ｓ１８）において、制御部１００は、ジョブに関する全ての印刷（画像形成）が終了したか否かを判断する。このステップ１８において肯定判定された場合、すなわち、ジョブに関する全ての印刷が終了した場合には、本ルーチンを抜ける。一方、ステップ１８において否定判定された場合、すなわち、ジョブに関する印刷が終了していない場合には、ステップ１０の処理に戻る。
【００５６】
このように本実施形態において、画像形成装置は、複数の感光体ドラム１Ｙ，１Ｍ，１Ｃ，１Ｋと、中間転写ベルト６と、それぞれが感光体ドラム１Ｙ，１Ｍ，１Ｃ，１Ｋの表面に滑剤を塗布する複数の塗布ローラー５２Ｙ，５２Ｍ，５２Ｃ，５２Ｋと、中間転写ベルト６のベルト負荷を検出するベルト負荷検出部６２と、複数の感光体ドラム１Ｙ，１Ｍ，１Ｃ，１Ｋのドラム負荷をそれぞれ検出するドラム負荷検出部１３Ｙ，１３Ｍ，１３Ｃ，１３Ｋと、ベルト負荷検出部６２及びドラム負荷検出部１３Ｙ，１３Ｍ，１３Ｃ，１３Ｋから得られる検出結果に基づいて、複数の塗布ローラー５２Ｙ，５２Ｍ，５２Ｃ，５２Ｋから塗布される滑剤の塗布量をそれぞれ制御する制御部１００と、を有している。この場合、制御部１００は、中間転写ベルト６のベルト負荷がベルト基準値以下である場合、感光体ドラム１Ｙ，１Ｍ，１Ｃ，１Ｋのドラム負荷がドラム基準値よりも小さい感光体ドラム１Ｙ，１Ｍ，１Ｃ，１Ｋを選択し、当該選択した感光体ドラム１Ｙ，１Ｍ，１Ｃ，１Ｋについての滑剤の塗布量を低下させることとしている。
【００５７】
かかる構成によれば、中間転写ベルト６に存する滑剤の量をモニタリングした上で、感光体ドラム１Ｙ，１Ｍ，１Ｃ，１Ｋに塗布される滑剤の量を制御することができる。よって、複数の感光体ドラム１Ｙ，１Ｍ，１Ｃ，１Ｋから中間転写ベルト６へと移動する滑剤の量を調整することができるので、中間転写ベルト６に存する滑剤の量を適切にコントロールすることができる。これにより、中間転写ベルト６上の滑剤に起因する画像不良を抑制することができ、良好な画像を得ることができる。また、個々の感光体ドラム１Ｙ，１Ｍ，１Ｃ，１Ｋ上の滑剤の量をモニタリングし、その中から選択した感光体ドラム１Ｙ，１Ｍ，１Ｃ，１Ｋについてのみ滑剤の塗布量が制御されることとなる。これにより、感光体ドラム１Ｙ，１Ｍ，１Ｃ，１Ｋへの滑剤の塗布量が不足するといった事態を抑制することができる。その結果、感光体ドラム１Ｙ，１Ｍ，１Ｃ，１Ｋへの滑剤の塗布量が適正化され、より良好な画像を得ることができる。
【００５８】
また、本実施形態において、ベルト基準値は、中間転写ベルト６に存する滑剤の量が過剰であるか否かを判断するために設定された値であり、ドラム基準値は、感光体ドラム１Ｙ，１Ｍ，１Ｃ，１Ｋ上の滑剤の量が不足していないか否かを判断するために設定された値である。
【００５９】
かかる構成によれば、中間転写ベルト６に存する滑剤の量が過剰である場合には、感光体ドラム１Ｙ，１Ｍ，１Ｃ，１Ｋについての滑剤の塗布量が低下させられる。これにより、感光体ドラム１Ｙ，１Ｍ，１Ｃ，１Ｋから中間転写ベルト６へと移動する滑剤の量を減らすことができるので、中間転写ベルト６に存する滑剤の量を適切にコントロールすることができる。その結果、中間転写ベルト６上の滑剤に起因する画像不良を抑制することができるので、良好な画像を得ることができる。また、個々の感光体ドラム１Ｙ，１Ｍ，１Ｃ，１Ｋ上の中で滑剤の量が不足していないものを選択して滑剤の塗布量が低下させることができるで、感光体ドラム１Ｙ，１Ｍ，１Ｃ，１Ｋへの滑剤の塗布量が不足するといった事態を抑制することができる。このため、感光体ドラム１Ｙ，１Ｍ，１Ｃ，１Ｋへの滑剤の塗布量が適正化され、より良好な画像を得ることができる。
【００６０】
また、本実施形態において、制御部１００は、感光体ドラム１Ｙ，１Ｍ，１Ｃ，１Ｋのドラム負荷がドラム基準値よりも小さいものとして複数の感光体ドラム１Ｙ，１Ｍ，１Ｃ，１Ｋを選択することができる場合には、当該ドラム負荷が最も小さい感光体ドラム１Ｙ，１Ｍ，１Ｃ，１Ｋについて滑剤の塗布量を低下させることとしている。
【００６１】
かかる構成によれば、滑剤を最も多く保持する感光体ドラム１Ｙ，１Ｍ，１Ｃ，１Ｋについて滑剤の塗布量が低下させられることなる。このため、感光体ドラム１Ｙ，１Ｍ，１Ｃ，１Ｋへの滑剤の塗布量が不足するといった事態を抑制することができる。
【００６２】
なお、本実施形態によれば、滑剤の塗布量を低下させる場合、一つの感光体ドラム１Ｙ，１Ｍ，１Ｃ，１Ｋについて実施しているが、複数の感光体ドラム１Ｙ，１Ｍ，１Ｃ，１Ｋについて実施するものであってもよい。すなわち、制御部１００は、感光体ドラム１Ｙ，１Ｍ，１Ｃ，１Ｋのドラム負荷が第２の基準値よりも小さいものとして複数の感光体ドラム１Ｙ，１Ｍ，１Ｃ，１Ｋを選択することができる場合には、当該選択される複数の感光体ドラム１Ｙ，１Ｍ，１Ｃ，１Ｋについての滑剤の塗布量をそれぞれ低下させてもよい。あるいは、当該選択される複数の感光体ドラム１Ｙ，１Ｍ，１Ｃ，１Ｋのうち、その中の２つ以上の感光体ドラム１Ｙ，１Ｍ，１Ｃ，１Ｋについて、滑剤の塗布量をそれぞれ低下させてもよい。
【００６３】
かかる構成によれば、複数の感光体ドラム１Ｙ，１Ｍ，１Ｃ，１Ｋについて滑剤の塗布量をそれぞれ低下させることができるので、中間転写ベルト６に存する滑剤の量を早期にコントロールすることができるという長所を有している。
【００６４】
また、本実施形態に示す手法によれば、感光体ドラム１Ｙ，１Ｍ，１Ｃ，１Ｋについて滑剤の塗布量を低下させることで、塗布ローラー５２Ｙ，５２Ｍ，５２Ｃ，５２Ｋから感光体ドラム１Ｙ，１Ｍ，１Ｃ，１Ｋの表面に塗布される滑剤の量がゼロとなってしまうことも考えられる。そこで、制御部１００は、塗布ローラー５２Ｙ，５２Ｍ，５２Ｃ，５２Ｋから感光体ドラム１Ｙ，１Ｍ，１Ｃ，１Ｋの表面に塗布される滑剤の量がゼロとならない制限された範囲で、滑剤の塗布量を低下させるとしてもよい。かかる構成によれば、感光体ドラム１Ｙ，１Ｍ，１Ｃ，１Ｋ上の滑剤の量が不足するといった事態を抑制することができる。
【００６５】
もっとも、塗布ローラー５２Ｙ，５２Ｍ，５２Ｃ，５２Ｋから塗布される滑剤の量がゼロとなった場合であっても、感光体ドラム１Ｙ，１Ｍ，１Ｃ，１Ｋ上にはある程度の滑剤が塗布されているため、滑剤の量が不足するといったといった事態は直ちに起こりえないとも言える。そこで、制御部１００は、滑剤の塗布量を低下させた結果、塗布ローラー５２Ｙ，５２Ｍ，５２Ｃ，５２Ｋから感光体ドラム１Ｙ，１Ｍ，１Ｃ，１Ｋの表面に塗布される滑剤の量がゼロとなるときは、一定の制限時間の範囲内である場合には限り当該滑剤の量がゼロとなる状態が継続することを許容するようにしてもよい。これにより、中間転写ベルト６上の滑剤の量と、感光体ドラム１Ｙ，１Ｍ，１Ｃ，１Ｋの表面上の滑剤の量とをそれぞれ有効に制御することができる。
【００６６】
以上、本発明の実施形態にかかる画像形成装置について説明したが、本発明は上述した実施形態に限定されることなく、その発明の範囲内において種々の変形が可能であることはいうまでもない。例えば、本実施形態によれば、転写体として中間転写ベルトを有する中間転写方式の画像形成装置について説明を行ったが、転写体として直接転写ベルトを有する直接転写方式の画像形成装置に適用することも可能である。ここで、直接転写方式の画像形成装置は、各色の像担持体を直接転写ベルト（転写体）に対向配置して、この直接転写ベルトにより転写紙を搬送しながら、像担持体上の各色のトナー像を用紙に直接転写することによりフルカラー画像を形成する装置である。
【符号の説明】
【００６７】
ＳＣ      原稿読取装置
１０Ｙ〜１０Ｋ    画像形成部
１Ｙ〜１Ｋ      感光体ドラム
１１Ｙ〜１１Ｋ    ドラム駆動部
１２Ｙ〜１２Ｋ    モーター
１３Ｙ〜１３Ｋ    ドラム負荷検出部
５Ｙ〜５Ｋ      ドラムクリーナー
５５Ｙ〜５５Ｋ    塗布ローラー駆動部
６        中間転写ベルト
６０      ベルト駆動部
６１      モーター
６２      ベルト負荷検出部
８        ベルトクリーニング部
９        ２次転写ローラー
７０        定着装置
１００        制御部
【図１】
2015099259.tif 000003
【図２】
2015099259.tif 000004
【図３】
2015099259.tif 000005
【図４】
2015099259.tif 000006